(57)【要約】【課題】  サイドガードを着脱することなく使用できるベッドのサイドガードの取付け構造を提供する。【解決手段】  ベッド３の側枠５３に所定の距離を置いて第１と第２の位置決め体１０１、１０２が固定状態に取り付けられ、側枠５３の第１と第２の位置決め体１０１、１０２の間に移動可能に、かつ、側枠５３を軸として回転可能にサイドガード１００の基部１０６が取り付けられ、第１位置決め体１０１に第１係合部１０５が設けられるとともに、基部１０６に第１係合部１０５に係合する第２係合部１０８が設けられ、それぞれの係合部１０５、１０８が係合する状態においてサイドガード１００が起立状態となり、第２の位置決め体１０２と基部１０６間に基部１０６を第１の位置決め体１０１側に付勢するバネ体１１０を備えるベッドのサイドガード。【選択図】図２
2019093090.tif 000002
【特許請求の範囲】
【請求項１】
ベッドの側枠にサイドガードの基部が前記側枠を軸として回転可能に取り付けられ、
前記サイドガードが起立状態に固定される状態と、垂下する状態の２状態とされる、
ことを特徴とするベッドのサイドガードの取付け構造。
【請求項２】
ベッドの側枠に所定の距離を置いて第１と第２の位置決め体が固定状態に取り付けられ、
前記側枠の前記第１と第２の位置決め体の間に移動可能に、かつ、前記側枠を軸として回転可能にサイドガードの基部が取り付けられ、
前記第１位置決め体に第１係合部が設けられるとともに、前記基部に前記第１係合部に係合する第２係合部が設けられ、前記それぞれの係合部が係合する状態において前記サイドガードが起立状態となり、
前記第２の位置決め体と前記基部間に前記基部を前記第１の位置決め体側に付勢するバネ体を備え、
ることを特徴とするベッドのサイドガード取付け構造。
【発明の詳細な説明】
【技術分野】
【０００１】  この発明は、ベッドのサイドガードの取付け構造に関する。
【背景技術】
【０００２】  ストレッチャーは台車上にベッドが載置されて構成されている。ベッドの両側には搬送時等にベッド上の被搬送者が側方に落ちることが無いようにサイドガードが設けられている。例えば、ストレッチャー上の被搬送者を病院に移送して病院ベッドに移動する際には上記サイドガードが邪魔となりなり、したがって、通常サイドガードは篏合構成等によって着脱可能に取り付けられている。上記のような着脱可能なサイドガードの場合、ベッドへの着脱操作に手間がかかるとともに、取り外し時におけるサイドガードの保管場所にも困る問題があった。
【発明の概要】
【発明が解決しようとする課題】
【０００３】  この発明は上記の事情に鑑みて行ったもので、サイドガードが着脱することなく使用できるベッドのサイドガードの取付け構造を提供することを目的とする。
【課題を解決するための手段】
【０００４】  この発明（請求項１）では、ベッドの側枠にサイドガードの基部が前記側枠を軸として回転可能に取り付けられ、前記サイドガードが起立状態に固定される状態と、垂下する状態の２状態とされることを特徴とするベッドのサイドガードの取付け構造を提供する。【０００５】    上記構成の発明によれば、被搬送者がベッド上にいる場合はサイドガードを起立状態に固定でき、ベッドに載せる際や降ろす際にはサイドガードを垂下する状態とでき、これにより、サイドガードを取り外すことなく使用できるようになる。【０００６】  また、この発明（請求項２）では、ベッドの側枠に所定の距離を置いて第１と第２の位置決め体が固定状態に取り付けられ、前記側枠の前記第１と第２の位置決め体の間に移動可能に、かつ、前記側枠を軸として回転可能にサイドガードの基部が取り付けられ、前記第１位置決め体に第１係合部が設けられるとともに、前記基部に前記第１係合部に係合する第２係合部が設けられ、前記それぞれの係合部が係合する状態において前記サイドガードが起立状態となり、前記第２の位置決め体と前記基部間に前記基部を前記第１の位置決め体側に付勢するバネ体を備えることを特徴とするベッドのサイドガード取付け構造を提供する。【０００７】  上記構成の発明によれば、被搬送者がベッド上にいる場合はサイドガードを起立状態に固定でき、ベッドに載せる際や降ろす際にはサイドガードを垂下する状態とでき、これにより、サイドガードを取り外すことなく使用できるようになる。くわえて、第１位置決め体の第１係合部にバネ体に付勢されるサイドガードの基部の第２係合部が係合することで、サイドガードを安定して起立状態とできる。また、サイドガードはロック動作を行うことなく起立状態とでき、また、ロックの解除動作を行うことなく垂下状態とでき、サイドガードのみにより操作が容易に行われる。【０００８】    この発明のサイドガード取付け構造は、通常のベッドやストレッチャーのベッド等各種のベッドにおいて用いられる。
【発明の効果】
【０００９】  この発明によれば、サイドガードを着脱することなくベッドが容易に使用できるようになる。
【図面の簡単な説明】
【００１０】
【図１】  この発明のサイドガードの取付け構造が用いられる組み立て式ストレッチャーの外観斜視図
【図２】  この発明のサイドガードの取付け構造の説明斜視図
【図３】  この発明のサイドガードの取付け構造の説明斜視図
【発明の好ましい実施形態】
【００１１】  図１はこの発明のサイドガードの取付け構造を持つベッドが用いられた組み立て式のストレッチャーの斜視図である。ストレッチャー１は下台部２とその上部に設置される折り畳み可能なベッド３とからなり、それぞれは分離可能となっており、下台部２上にベッド３が載置されて組み立てられる。
【００１２】  下台部２は金属製で、上側部４と下側部６とが交差状の折り畳み部８を介して連結されて構成され、下側部６の下面の前後両端にはキャスター１０のそれぞれが取り付けられている。下台部２は、非使用時には折り畳み部８が折り畳まれることで下側部６上に上側部４が重なるコンパクトな状態とされる。
【００１３】  ベッド３は周囲を構成する枠５０と、枠５０に張設される１枚のベッドシート５２とから構成される。枠５０は一対のコ字状に折れ曲がる枠パイプ５３それぞれの両端が連結部５４で回動可能に連結され、ベッド３は、非使用時にはその連結位置においてその両側部分が下方に折り曲げられて折り畳まれるようになっている。連結部５４はベッド３が伸長されて使用される状態においては折れ曲がり阻止具８０により覆われている。
【００１４】  上記ベッド３の一方側、すなわち、ベッド３上に被搬送者が横になった際にその頭部側が位置する側を構成する枠パイプ（側枠）５３には、一対の金属パイプ製のサイドガード１００が取り付けられている。
【００１５】  以下、図２を参照してサイドガード１００の取付け構造を説明する。１０１、１０２のそれぞれは金属製の固定管であり、互いが所定の間隔をおいて枠パイプ５３に外嵌固定されている。固定管１０１の固定管１０２に相対する側の上部には係合凹部１０５が設けられている。サイドガード１００はその管状基部１０６が枠パイプ５３の固定管１０１、１０２間の位置にスライド移動可能に、かつ、回転移動可能に外嵌装着されて設けられている。管状基部１０６の固定管１０１に相対する側の上部には、上記係合凹部１０５に合致する形態の係合凸部１０８が設けられている。枠パイプ５３のサイドガード１００の管状基部１０６と固定管１０２との間位置にはコイルバネ１１０が外嵌装着されており、このコイルバネ１１０により管状基部１０６が押されることで、サイドガード１００は常時矢印Ａの方向に付勢されている。
【００１６】    図１はベッド３上に被搬送者が横になっている際のサイドガード１００の状態を示し、サイドガード１００のそれぞれは起立状態にあって被搬送者の上半身の両側に沿って位置し、ベッド３上の被搬送者が側方に落下することを防止している。この状態においてはサイドガード１００が矢印Ａの方向に付勢され管状基部１０６の係合凸部１０８が固定管１０１の係合凹部１０５に弾力的に係合することで管状基部１０６は回転できず、サイドガード１００のそれぞれはその起立状態が維持される。
【００１７】    ベッド３上に被搬送者を載せる際、また、ベッド３上から被搬送者を移す際にはサイドガード１００が邪魔となるので、サイドガード１００のそれぞれは、以下の操作により、図３に示すように垂下する状態とされる。図２に示す状態において、湾曲部１１２を持って引っ張ることでサイドガード１００をコイルバネ１１０のバネ力に抗して矢印Ｂ方向に移動させ、これにより管状基部１０６が矢印Ｃ方向へ移動することで係合凸部１０８が係合凹部１０５から離脱する。その状態において、サイドガード１００を矢印Ｄ方向に回転変位させて垂下状態とする。垂下状態からサイドガード１００を矢印Ｄ方向と逆の方向に回転変位させることで係合凸部１０８が係合凹部１０５へ弾力的に係合し、サイドガード１００は起立状態とできる。
【００１８】  上記のように、サイドガード１００はロック動作を行うことなく起立状態とでき、また、ロックの解除動作を行うことなく垂下状態とでき、サイドガード１００のみにより操作が容易に行われる。また、上記のサイドガード１００の矢印Ｂ方向への引き操作は湾曲部１１２を持つことで容易に行われる。サイドガード１００はＤ方向への回転変位によりベッドシート５２の裏面に沿う位置にでき、これにより、ベッド３の非使用時における両側部分の折り畳みが支障なく行われる。
【符号の説明】
【００１９】１      組み立て式ストレッチャー
２      下台部
３      ベッド
５３    枠パイプ
１００  サイドガード
１０１  固定管（第１の位置決め体）
１０２  固定管（第２の位置決め体）
１０５  係合凹部（第１係合部）
１０６  管状基部
１０８  係合凸部（第２係合部）
１１０  コイルバネ（バネ体）
【図１】
2019093090.tif 000003
【図２】
2019093090.tif 000004
【図３】
2019093090.tif 000005